(57)【要約】【課題】  被処理物を処理する上ローラーと下ローラーとを、上下方向に離間させると共に取出し位置に移動させて、これらのローラーを補修、交換する作業が簡単に行えるようにする。【解決手段】  被処理物Wを処理する上ローラー10と下ローラー20とを上下方向に離間させた状態で、被処理物の送り方向と交差する方向に移動させて、被処理物を処理する位置から取出し位置に導くにあたり、上ローラーを回転可能に保持する上ローラー保持部11を上レール12に移動可能に保持させ、下ローラーを回転可能に保持する下ローラー保持部21を、上ローラー保持部と伸縮可能な連結部材30により分離可能に連結させ、上レールを第１昇降装置14により上昇させた位置において、取出し位置に導かれた上ローラー保持部の一端部を上レールと分離して設けた保持部材40に保持させるようにした。【選択図】  図１０
2015020111.tif 000002
【特許請求の範囲】
【請求項１】
上ローラーと下ローラーとの間を通して被処理物を処理する上ローラーと下ローラーとを上下方向に離間させると共に、上ローラーと下ローラーとを被処理物の送り方向と交差する方向に移動させて、上ローラーと下ローラーとを被処理物を処理する位置から取出し位置に導くようにした上・下ローラーの分離取出し装置において、前記の上ローラーを回転可能に保持する上ローラー保持部を、上ローラーの上方に設けられた上レールに被処理物の送り方向と交差する方向に移動可能に保持させ、この上レールを第１昇降装置により昇降させるようにする一方、前記の下ローラーを回転可能に保持する下ローラー保持部を、被処理物の送り方向と交差する方向に移動する台車に設けられた第２昇降装置により昇降可能に保持させ、前記の上ローラー保持部と下ローラー保持部とを伸縮可能な連結部材により分離可能に連結させ、前記の第１昇降装置により上レールを上昇させた位置において、前記の上ローラー保持部を被処理物の送り方向と交差する方向に移動させて取出し位置に導いた際に、この上ローラー保持部の一端部を保持する保持部材を前記の上レールと分離させて設けたことを特徴とする上・下ローラーの分離取出し装置。
【請求項２】
請求項１に記載の上・下ローラーの分離取出し装置において、前記の第１昇降装置により上レールを上昇させて、前記の上ローラー保持部を上方に移動させると共に、前記の第２昇降装置により前記の下ローラー保持部を下方に移動させて、被処理物を処理する位置における上ローラーと下ローラーとを上下方向に離間させると共に、上ローラー保持部と下ローラー保持部とを連結する前記の連結部材を伸長させて係止させた状態で、前記の台車により上ローラー保持部と下ローラー保持部とを被処理物の送り方向と交差する方向に移動させて、上ローラー保持部の一端部を前記の保持部材に導き、この上ローラー保持部を前記の上レールと保持部材との間で保持させることを特徴とする上・下ローラーの分離取出し装置。
【請求項３】
上ローラーと下ローラーとの間を通して被処理物を処理する上ローラーと下ローラーとを上下方向に離間させると共に、上ローラーと下ローラーとを被処理物の送り方向と交差する方向に移動させて、上ローラーと下ローラーとを被処理物を処理する位置から取出し位置に導くようにした上・下ローラーの分離取出し装置において、前記の上ローラーを回転可能に保持する上ローラー保持部を、上ローラーの上方に設けられた上レールに被処理物の送り方向と交差する方向に移動可能に保持させると共に、この上ローラー保持部を第３昇降装置により昇降させるようにする一方、前記の下ローラーを回転可能に保持する下ローラー保持部を、被処理物の送り方向と交差する方向に移動する台車に設けられた第２昇降装置により昇降可能に保持させ、前記の上ローラー保持部と下ローラー保持部とを伸縮可能な連結部材により分離可能に連結させ、前記の上ローラー保持部を被処理物の送り方向と交差する方向に移動させて取出し位置に導いた際に、この上ローラー保持部の一端部を保持する保持部材を前記の上レールと分離させて設けたことを特徴とする上・下ローラーの分離取出し装置。
【請求項４】
請求項３に記載の上・下ローラーの分離取出し装置において、前記の第３昇降装置により前記の上ローラー保持部を上方に移動させると共に、前記の第２昇降装置により前記の下ローラー保持部を下方に移動させて、被処理物を処理する位置における上ローラーと下ローラーとを上下方向に離間させると共に、上ローラー保持部と下ローラー保持部とを連結する前記の連結部材を伸長させて係止させた状態で、前記の台車により上ローラー保持部と下ローラー保持部とを被処理物の送り方向と交差する方向に移動させて、上ローラー保持部の一端部を前記の保持部材に導き、この上ローラー保持部を前記の上レールと保持部材との間で保持させることを特徴とする上・下ローラーの分離取出し装置。
【請求項５】
請求項１〜請求項４の何れか１項に記載の上・下ローラーの分離取出し装置において、前記の上ローラー保持部と下ローラー保持部とを連結させる連結部材を分離させて、前記の台車により下ローラーを回転可能に保持する下ローラー保持部だけを被処理物の送り方向と交差する方向に移動させることを特徴とする上・下ローラーの分離取出し装置。
【発明の詳細な説明】
【技術分野】
【０００１】
本発明は、上ローラーと下ローラーとの間を通して被処理物を処理する上ローラーと下ローラーとを上下方向に離間させると共に、上ローラーと下ローラーとを被処理物の送り方向と交差する方向に移動させて、上ローラーと下ローラーとを被処理物を処理する位置から取出し位置に導くようにした上・下ローラーの分離取出し装置に関するものである。特に、前記の上ローラーと下ローラーとを、上下方向に離間させた状態で被処理物の送り方向と交差する方向に移動させて、上ローラーと下ローラーとを被処理物を処理する位置から取出し位置に導き、この取出し位置において、上ローラーや下ローラーを補修したり、交換したりする作業が簡単に行えるようにした点に特徴を有するものである。
【背景技術】
【０００２】
従来から、金属鋼板や金属ストリップ等の被処理物を一対のローラー間に導き、この一対のローラーを通して、被処理物の表面に塗料等を塗布させるようにしたり、ブラシ付ローラーを用いて被処理物の表面を洗浄させたりすることが行われている。
【０００３】
ここで、前記のように被処理物を一対のローラー間に通して、被処理物の表面に塗料等を塗布したり、被処理物の表面を洗浄したりする場合、被処理物の幅方向端部と接触するローラーの部分が傷ついたり、被処理物に付着した付着物によってローラーが汚れたりし、被処理物の表面に塗料等を適切に塗布することができなくなったり、被処理物の表面を適切に洗浄することができなくなるという問題があった。また、被処理物の表面に塗布する塗料等の種類や被処理物の表面を洗浄する洗浄液の種類等を変更させる場合には、ローラーの表面に先の塗料や洗浄液等が残っていると、次に用いる塗料や洗浄液に混入して、塗装不良や洗浄不良等が発生するという問題があった。
【０００４】
このため、従来においては、これらのローラーを離間させると共に被処理物を処理する位置から取り出して、これらのローラーを補修したり、交換したりすることが行われている。
【０００５】
ここで、特許文献１に示されるものにおいては、帯状体をバックアップロールと塗装ロールとの間を通して、塗装ロールにより帯状体を塗装する塗装装置において、塗装ロールを交換させるにあたり、塗装ロール、ピックアップロール、ドクターロール等を帯状体から離間させる方向に移動させ、その後、これらのロールが設けられた塗装ユニットをコータ台車により帯状体の走行方向と交差する水平方向に移動させて、塗装ロールを交換させることが示されている。
【０００６】
しかし、特許文献１に示されるものは、上ローラーと下ローラーとの間を通して被処理物を処理するようにはなっておらず、上ローラーと下ローラーとを上下方向に離間させると共に、上ローラーと下ローラーとを被処理物の送り方向と交差する方向に移動させて、上ローラーと下ローラーとを被処理物を処理する位置から取り出して、上ローラーや下ローラーを補修したり、交換したりすることができなかった。
【０００７】
また、特許文献２に示されるものにおいては、上ローラーと下ローラーとの間を通して被処理物を処理するようにした場合において、上ローラーと下ローラーとが設けられた架台の上方にレールを設け、このレール上を走行する台車の端部に、上ローラーの端部と下ローラーの端部を把持する把持具を設け、この把持具に上ローラーの端部と下ローラーの端部を把持させた状態で、前記の台車を走行させて、上ローラーと下ローラーとを被処理物を処理する位置から取り出し、この台車をレールから取り外した後、新しい上ローラーと下ローラーとを把持具に把持させた新しい台車を前記のレールにセットして走行させ、新しい上ローラーと下ローラーとを被処理物を処理する位置に導くようにしている。
【０００８】
しかし、この場合、上ローラーの端部と下ローラーの端部とがそれぞれ台車に設けられた把持具に把持された状態で一体に取り出されるため、上ローラーと下ローラーとの一方だけを補修したり、交換したりすることが困難であり、また台車の端部に設けられた把持具に上ローラーの端部と下ローラーの端部を把持させた状態で、台車を走行させるようにした場合、台車が傾いたりして、台車の走行が不安定になる等の問題があった。
【０００９】
また、従来においては、図１及び図２に示すように、上ローラー１の上方において被処理物Ｗの送り方向と交差する方向に伸びた上レール２を設け、この上レール２に沿って移動する上台車３に設けられた昇降装置４により、上ローラー１を回転可能に保持する上ローラー保持部１ａを昇降可能に保持させる一方、下ローラー５を回転可能に保持する下ローラー保持部５ａを、被処理物Ｗの送り方向と交差する方向に伸びた下レール６の上を移動する下台車７に設けられた昇降装置８により昇降可能に保持させるようにしたものが用いられている。
【００１０】
ここで、このような装置において、上ローラー１や下ローラー５を補修したり、交換したりするにあたっては、図３に示すように、前記の上ローラー保持部１ａを前記の昇降装置４により上方に移動させると共に、前記の下ローラー保持部５ａを前記の昇降装置８により下方に移動させて、被処理物Ｗを処理する位置における前記の上ローラー１と下ローラー５とを上下方向に離間させるようにする。
【００１１】
そして、この状態で、図４に示すように、前記の上台車３に保持された上ローラー保持部１ａを、上レール２に沿って被処理物Ｗの送り方向と交差する方向に移動させると共に、また前記の下台車７に保持された下ローラー保持部５ａを、前記の下レール６に沿って被処理物Ｗの送り方向と交差する方向に移動させて、上ローラー１と下ローラー５とをそれぞれ個別に被処理物Ｗを処理する位置から取出し位置に導き、この取出し位置において、上ローラー１や下ローラー５を補修したり、交換したりするようにしている。
【００１２】
しかし、前記のように上ローラー保持部１ａを上レール２に沿って移動する上台車３により被処理物Ｗを処理する位置から取出し位置に導くようにした場合、前記の上レール２が被処理物Ｗを処理する位置から取出し位置まで設けられることになり、上ローラー１や下ローラー５を取出し位置に導いて、上ローラー１や下ローラー５を補修したり、交換したりする際に、上レール２が邪魔になり、作業性が低下するという問題があった。また、前記のように上ローラー１と下ローラー５とをそれぞれ個別に被処理物Ｗを処理する位置から取出し位置に導くため、上ローラー保持部１ａを保持して移動する上台車３を駆動させる駆動装置と、下ローラー保持部５ａを保持して移動する下台車７を駆動させる駆動装置とを個別に設けることが必要になり、設備コストが高くつくという問題もあった。
【先行技術文献】
【特許文献】
【００１３】
【特許文献１】特許第３０４３９２２号公報
【特許文献２】特開２００６−２９１３５１号公報
【発明の開示】
【発明が解決しようとする課題】
【００１４】
本発明は、上ローラーと下ローラーとの間を通して被処理物を処理する上ローラーと下ローラーとを上下方向に離間させると共に、上ローラーと下ローラーとを被処理物の送り方向と交差する方向に移動させて、上ローラーと下ローラーとを被処理物を処理する位置から取出し位置に導き、上ローラーや下ローラーを補修したり、交換したりする場合における前記のような問題を解決することを課題とするものである。
【００１５】
すなわち、本発明においては、前記のようにして上ローラーや下ローラーを補修したり、交換したりするにあたり、上ローラーと下ローラーとを上下方向に分離させると共に、被処理物を処理する位置から取出し位置に導いて、上ローラーや下ローラーを補修したり、交換したりする作業が簡単に行えるようにすることを課題とするものである。
【課題を解決するための手段】
【００１６】
本発明に係る第１の上・下ローラーの分離取出し装置においては、前記のような課題を解決するため、上ローラーと下ローラーとの間を通して被処理物を処理する上ローラーと下ローラーとを上下方向に離間させると共に、上ローラーと下ローラーとを被処理物の送り方向と交差する方向に移動させて、上ローラーと下ローラーとを被処理物を処理する位置から取出し位置に導くようにした上・下ローラーの分離取出し装置において、前記の上ローラーを回転可能に保持する上ローラー保持部を、上ローラーの上方に設けられた上レールに被処理物の送り方向と交差する方向に移動可能に保持させ、この上レールを第１昇降装置により昇降させるようにする一方、前記の下ローラーを回転可能に保持する下ローラー保持部を、被処理物の送り方向と交差する方向に移動する台車に設けられた第２昇降装置により昇降可能に保持させ、前記の上ローラー保持部と下ローラー保持部とを伸縮可能な連結部材により分離可能に連結させ、前記の第１昇降装置により上レールを上昇させた位置において、前記の上ローラー保持部を被処理物の送り方向と交差する方向に移動させて取出し位置に導いた際に、この上ローラー保持部の一端部を保持する保持部材を前記の上レールと分離させて設けた。
【００１７】
そして、この第１の上・下ローラーの分離取出し装置においては、前記の第１昇降装置により上レールを上昇させて、前記の上ローラー保持部を上方に移動させると共に、前記の第２昇降装置により前記の下ローラー保持部を下方に移動させて、被処理物を処理する位置における上ローラーと下ローラーとを上下方向に離間させると共に、上ローラー保持部と下ローラー保持部とを連結する前記の連結部材を伸長させて係止させた状態で、前記の台車により上ローラー保持部と下ローラー保持部とを被処理物の送り方向と交差する方向に移動させて、上ローラー保持部の一端部を前記の保持部材に導き、この上ローラー保持部を前記の上レールと保持部材との間で保持させることができる。
【００１８】
また、本発明に係る第２の上・下ローラーの分離取出し装置においては、前記のような課題を解決するため、上ローラーと下ローラーとの間を通して被処理物を処理する上ローラーと下ローラーとを上下方向に離間させると共に、上ローラーと下ローラーとを被処理物の送り方向と交差する方向に移動させて、上ローラーと下ローラーとを被処理物を処理する位置から取出し位置に導くようにした上・下ローラーの分離取出し装置において、前記の上ローラーを回転可能に保持する上ローラー保持部を、上ローラーの上方に設けられた上レールに被処理物の送り方向と交差する方向に移動可能に保持させると共に、この上ローラー保持部を第３昇降装置により昇降させるようにする一方、前記の下ローラーを回転可能に保持する下ローラー保持部を、被処理物の送り方向と交差する方向に移動する台車に設けられた第２昇降装置により昇降可能に保持させ、前記の上ローラー保持部と下ローラー保持部とを伸縮可能な連結部材により分離可能に連結させ、前記の上ローラー保持部を被処理物の送り方向と交差する方向に移動させて取出し位置に導いた際に、この上ローラー保持部の一端部を保持する保持部材を前記の上レールと分離させて設けた。
【００１９】
そして、この第２の上・下ローラーの分離取出し装置においては、前記の第３昇降装置により前記の上ローラー保持部を上方に移動させると共に、前記の第２昇降装置により前記の下ローラー保持部を下方に移動させて、被処理物を処理する位置における上ローラーと下ローラーとを上下方向に離間させると共に、上ローラー保持部と下ローラー保持部とを連結する前記の連結部材を伸長させて係止させた状態で、前記の台車により上ローラー保持部と下ローラー保持部とを被処理物の送り方向と交差する方向に移動させて、上ローラー保持部の一端部を前記の保持部材に導き、この上ローラー保持部を前記の上レールと保持部材との間で保持させることができる。
【００２０】
また、前記の第１及び第２の上・下ローラーの分離取出し装置においては、前記の上ローラー保持部と下ローラー保持部とを連結させる連結部材を分離させて、前記の台車により下ローラーを回転可能に保持する下ローラー保持部だけを被処理物の送り方向と交差する方向に移動させることができる。
【００２１】
ここで、前記の第１及び第２の上・下ローラーの分離取出し装置においては、前記のように上ローラー保持部を被処理物の送り方向と交差する方向に移動させて取出し位置に導いた際に、この上ローラー保持部の一端部を保持する保持部材を前記の上レールと分離させて設け、取出し位置の上方における上レールをなくしたため、上ローラーや下ローラーを取出し位置に導いて、上ローラーや下ローラーを補修したり、交換したりする際に、上レールが邪魔になるということがない。
【００２２】
また、前記の第１及び第２の上・下ローラーの分離取出し装置においては、前記の上ローラー保持部と下ローラー保持部とを連結部材によって連結させた状態で、前記の台車により上ローラー保持部を被処理物の送り方向と交差する方向に移動させると、これと一緒に下ローラー保持部が被処理物の送り方向と交差する方向に移動されるようになり、上ローラー保持部と下ローラー保持部とを１つの駆動装置によって被処理物の送り方向と交差する方向に移動させることができる。さらに、上ローラー保持部と下ローラー保持部とを連結させた連結部材を分離させることにより、下ローラー保持部だけを被処理物の送り方向と交差する方向に移動させることができる。
【発明の効果】
【００２３】
この結果、本発明における第１及び第２の上・下ローラーの分離取出し装置においては、上ローラーと下ローラーとを上下方向に分離させると共に、被処理物を処理する位置から取出し位置に導いて、上ローラーや下ローラーを補修したり、交換したりする際に、上レールが邪魔になるということがなく、上ローラーや下ローラーを補修したり、交換したりする作業が簡単に行えるようになる。
【００２４】
また、前記のように上ローラー保持部と下ローラー保持部とを連結部材によって連結させることにより、上ローラー保持部と下ローラー保持部とを１つの駆動装置によって被処理物の送り方向と交差する方向に移動させることができ、設備コストも低減される。
【図面の簡単な説明】
【００２５】
【図１】従来例において、上ローラーと下ローラーとの間を通して被処理物を処理する状態を示した概略正面図である。
【図２】従来例において、上ローラーと下ローラーとの間を通して被処理物を処理する状態を示した概略側面図である。
【図３】従来例において、上ローラーと下ローラーとを被処理物を処理する位置において上下方向に離間させた状態を示した概略正面図である。
【図４】従来例において、上ローラーと下ローラーとを上下方向に離間させた状態で取出し位置に移動させた状態を示した概略正面図である。
【図５】本発明の第１実施形態に係る上・下ローラーの分離取出し装置において、上ローラーと下ローラーとの間を通して被処理物を処理する状態を示した概略正面図である。
【図６】前記の第１実施形態に係る上・下ローラーの分離取出し装置において、上ローラーと下ローラーとの間を通して被処理物を処理する状態を示した概略側面図である。
【図７】前記の第１実施形態に係る上・下ローラーの分離取出し装置において、上ローラー保持部と下ローラー保持部とを伸縮可能な連結部材により分離可能に連結させた状態を示し、（Ａ）は連結部材を収縮させて、被処理物を上ローラーと下ローラーとの間で処理する状態を示した部分説明図、（Ｂ）は連結部材を伸張させて、上ローラーと下ローラーとを被処理物から離間させた状態を示した部分説明図である。
【図８】前記の第１実施形態に係る上・下ローラーの分離取出し装置において、上ローラー保持部を上昇させると共に下ローラー保持部を下降させ、前記の連結部材を伸張させて、上ローラーと下ローラーとを被処理物から離間させた状態を示した概略正面図である。
【図９】前記の第１実施形態に係る上・下ローラーの分離取出し装置において、上ローラーと下ローラーとを被処理物から離間させた状態で、台車により上ローラー保持部と下ローラー保持部とを取出し位置に導いた状態を示した概略正面図である。
【図１０】前記の第１実施形態に係る上・下ローラーの分離取出し装置において、上ローラー保持部と下ローラー保持部とを連結する連結部材を分離させて、台車により下ローラー保持部だけを処理位置に戻し、上ローラー保持部に保持された上ローラーを補修、交換する状態を示した概略正面図である。
【図１１】前記の第１実施形態に係る上・下ローラーの分離取出し装置において、上ローラーを補修、交換した後、上ローラー保持部と下ローラー保持部とを連結部材により連結させて、上ローラー保持部と下ローラー保持部とを台車により処理位置に戻した状態を示した概略正面図である。
【図１２】前記の第１実施形態に係る上・下ローラーの分離取出し装置において、上ローラー保持部と下ローラー保持部とを連結する連結部材を分離させて、台車により下ローラー保持部だけを取出し位置に導いて、下ローラーを補修、交換する状態を示した概略正面図である。
【図１３】前記の第１実施形態に係る上・下ローラーの分離取出し装置において、下ローラーを補修、交換した後、台車により下ローラー保持部を処理位置に戻した状態を示した概略正面図である。
【図１４】本発明の第２実施形態に係る上・下ローラーの分離取出し装置において、上ローラーと下ローラーとの間を通して被処理物を処理する状態を示した概略正面図である。
【図１５】前記の第２実施形態に係る上・下ローラーの分離取出し装置において、上ローラーと下ローラーとの間を通して被処理物を処理する状態を示した概略側面図である。
【図１６】前記の第２実施形態に係る上・下ローラーの分離取出し装置において、上ローラー保持部を上昇させると共に下ローラー保持部を下降させ、前記の連結部材を伸張させて、上ローラーと下ローラーとを被処理物から離間させた状態を示した概略正面図である。
【図１７】前記の第２実施形態に係る上・下ローラーの分離取出し装置において、上ローラーと下ローラーとを被処理物から離間させた状態で、上台車を台車と一緒に移動させて、上ローラー保持部と下ローラー保持部とを取出し位置に導いた状態を示した概略正面図である。
【図１８】前記の第２実施形態に係る上・下ローラーの分離取出し装置において、上ローラー保持部と下ローラー保持部とを連結する連結部材を分離させて、台車により下ローラー保持部だけを処理位置に戻し、上ローラー保持部に保持された上ローラーを補修、交換する状態を示した概略正面図である。
【図１９】前記の第２実施形態に係る上・下ローラーの分離取出し装置において、上ローラーを補修、交換した後、上ローラー保持部と下ローラー保持部とを連結部材により連結させ、上台車を台車と一緒に移動させて、上ローラー保持部と下ローラー保持部とを処理位置に戻した状態を示した概略正面図である。
【図２０】前記の第２実施形態に係る上・下ローラーの分離取出し装置において、上ローラー保持部と下ローラー保持部とを連結する連結部材を分離させて、台車により下ローラー保持部だけを取出し位置に導いて、下ローラーを補修、交換する状態を示した概略正面図である。
【図２１】前記の第２実施形態に係る上・下ローラーの分離取出し装置において、下ローラーを補修、交換した後、台車により下ローラー保持部を処理位置に戻した状態を示した概略正面図である。
【発明を実施するための最良の形態】
【００２６】
以下、本発明の実施形態に係る上・下ローラーの分離取出し装置を添付図面に基づいて具体的に説明する。なお、本発明に係る上・下ローラーの分離取出し装置は下記の実施形態に示したものに限定されず、発明の要旨を変更しない範囲において、適宜変更して実施できるものである。
【００２７】
（第１実施形態）
第１実施形態における上・下ローラーの分離取出し装置においては、図５及び図６に示すように、上ローラー１０を回転可能に保持する上ローラー保持部１１の上部側に車輪１３を設け、この車輪１３を上ローラー１０の上方において被処理物Ｗの送り方向と交差する方向に伸びた上レール１２に保持させて、上ローラー保持部１１を上レール１２に沿って被処理物Ｗの送り方向と交差する方向に移動可能に設けると共に、この上レール１２の上方に設けられた架台１７に取り付けられた第１昇降装置１４により、この上レール１２を昇降させるようにしている。
【００２８】
一方、下ローラー２０を回転可能に保持する下ローラー保持部２１を、被処理物Ｗの送り方向と交差する方向に伸びた下レール２２の上を移動する台車２３に設けられた第２昇降装置２４により昇降可能に保持させている。
【００２９】
また、前記の上ローラー保持部１１と下ローラー保持部２１とを伸縮可能な連結部材３０により分離可能に連結させるにあたり、この実施形態においては、図７（Ａ）に示すように、前記の下ローラー保持部２１に設けられたシリンダー部材３１に、先端部に連結部３２ａが設けられたロッド３２を上下方向に伸縮可能に収容させると共に、前記の上ローラー保持部１１に連結用アーム３３を設け、この連結用アーム３３をロッド３２の連結部３２ａに連結ピン３４によって分離可能に連結させている。
【００３０】
そして、前記の連結用アーム３３をロッド３２の連結部３２ａに連結ピン３４によって連結させた状態で、前記の第１昇降装置１４により上レール１２を上昇させて、上ローラー保持部１１を上方に移動させると共に、前記の第２昇降装置２４により下ローラー保持部２１を下方に移動させて、前記の上ローラー１０と下ローラー２０とを被処理物Ｗから離間させると、図７（Ｂ）に示すように、これに伴って前記のロッド３２が伸張されるようになり、このようにロッド３２を伸張させた状態で、固定ピン３５によりロッド３２をシリンダー部材３１に固定させ、この連結部材３０によって、上ローラー１０と下ローラー２０とが離間された状態で、上ローラー保持部１１と下ローラー保持部２１とが連結されて維持されるようにしている。
【００３１】
ここで、この実施形態において、前記のロッド３２はシリンダー部材３１に対して上下方向に自由に移動できるようになっており、特に、駆動装置（図示せず）によって強制的に駆動させるようにはなっていない。但し、前記の上ローラー保持部１１と下ローラー保持部２１の移動に合わせて、駆動装置により前記のロッド３２をシリンダー部材３１に対して上下方向に移動させるようにすることもできる。
【００３２】
また、この実施形態においては、前記のように第１昇降装置１４により上レール１２を上昇させ、この状態で上ローラー保持部１１を被処理物Ｗの送り方向と交差する方向に移動させて取出し位置に導いた場合に、この上ローラー保持部１１の一端部を保持する保持部材４０を、前記のように上昇させた上レール１２と同じ高さの位置で、上レール１２から被処理物Ｗの送り方向と交差する方向に所要間隔（空間）を介した位置に設けている。なお、保持部材４０を設ける方法は特に限定されず、保持部材４０を天井から吊り下げたり、壁面に固定させたりして設けることができる。
【００３３】
そして、この実施形態において、前記の上ローラー１０と下ローラー２０との間において被処理物Ｗを処理するにあたっては、図５及び図６に示すように、被処理物Ｗが導かれる位置において、前記の第１昇降装置１４により上レール１２を下降させて、上ローラー保持部１１に保持された上ローラー１０を下方に移動させると共に、前記の第２昇降装置２４により下ローラー保持部２１に保持された下ローラー２０を上方に移動させ、被処理物Ｗを上ローラー１０と下ローラー２０との間に挟むようにして、被処理物Ｗを処理する。
【００３４】
また、この実施形態において、前記の上ローラー１０や下ローラー２０を補修したり、交換したりするにあたっては、図８に示すように、前記の第１昇降装置１４により上レール１２を前記の保持部材４０と同じ高さの位置まで上昇させて、前記の上ローラー保持部１１に保持された上ローラー１０を上方に移動させると共に、前記の第２昇降装置２４により下ローラー保持部２１に保持された下ローラー２０を下方に移動させて、上ローラー１０と下ローラー２０とを被処理物Ｗから離間させ、前記のように伸張された状態にあるロッド３２を、固定ピン３５によりシリンダー部材３１に固定し、この連結部材３０により、上ローラー１０と下ローラー２０とを離間させた状態で、上ローラー保持部１１と下ローラー保持部２１とを保持させるようにする。
【００３５】
そして、この状態で、図９に示すように、下ローラー保持部２１を保持した前記の台車２３を駆動装置（図示せず）により駆動させて、台車２３を被処理物Ｗの送り方向と交差する方向に伸びた下レール２２に沿って被処理物Ｗを処理する位置から取出し位置に導くようにする。このようにすると、台車２３の移動に伴って、前記の連結部材３０によって下ローラー保持部２１と連結された上ローラー保持部１１が上レール１２に沿って移動すると共に、この上ローラー保持部１１の一端部が、連結部材３０に支持された状態で前記の保持部材４０に導かれ、上ローラー保持部１１が取出し位置に導かれた状態では、この上ローラー保持部１１が保持部材４０と上レール１２との間で保持されるようになる。なお、このように上ローラー保持部１１の一端部を保持部材４０に導く場合、保持部材４０側における上ローラー保持部１１の車輪１３が、上レール１２から離れて保持部材４０に導かれるまでの間に空間が存在するが、前記のように上ローラー保持部１１の一端部が、連結部材３０におけるロッド３２によって支持された状態になっているため、上ローラー保持部１１が落下するということはない。
【００３６】
次いで、前記のように取出し位置に導かれた上ローラー保持部１１に保持された上ローラー１０を補修したり、交換したりするにあっては、図１０に示すように、前記の連結ピン３４を外して、前記のロッド３２と連結用アーム３３との連結を解除すると共に、前記の固定ピン３５を取り外してロッド３２を下降させ、この状態で、保持部材４０と上レール１２との間で保持された上ローラー保持部１１の下の位置から、前記の台車２３を処理位置側に戻すようにする。このようにすると、上ローラー１０の下側に補修や交換用の広いスペースＳ１ができ、この状態で、上ローラー保持部１１に保持された上ローラー１０の補修や交換を行うようにする。
【００３７】
なお、前記のように保持部材４０と上レール１２との間で保持された上ローラー保持部１１の下の位置から、前記の台車２３を処理位置側に戻す場合において、ロッド３２を伸張させた状態で、その先端部に設けられた前記の連結部３２ａが、上ローラー保持部１１に保持された上ローラー１０と衝突しない位置にある場合には、前記のように固定ピン３５を取り外してロッド３２を下降させる必要はない。また、前記の連結ピン３４の取り付け、取り外しは、手動式でも、自動式でもよい。
【００３８】
そして、前記のようにして上ローラー１０の補修や交換を行った後は、処理位置側に戻した前記の台車２３を取出し位置に導き、前記のロッド３２を上方に伸張させ、このロッド３２と連結用アーム３３とを連結ピン３４により連結させると共に、伸張された状態にあるロッド３２を、固定ピン３５によりシリンダー部材３１に固定し、上ローラー１０と下ローラー２０とを離間させた状態で、上ローラー保持部１１と下ローラー保持部２１とを保持させ、この状態で、図１１に示すように、前記の台車２３を取出し位置から処理位置に導いて、前記の上ローラー保持部１１を処理位置における前記の上レール１２に保持させる。なお、このように上ローラー保持部１１を処理位置における上レール１２に保持させる場合も、保持部材４０側における上ローラー保持部１１の車輪１３が、保持部材４０から離れて上レール１２に導かれるまでの間に空間が存在するが、前記のように上ローラー保持部１１の一端部が、連結部材３０におけるロッド３２によって支持された状態になっているため、上ローラー保持部１１が落下するということはない。
【００３９】
その後、下ローラー保持部２１に保持された下ローラー２０を補修したり、交換したりするにあたっては、図１２に示すように、前記の連結ピン３４を外して、前記のロッド３２と連結用アーム３３との連結を解除して、下ローラー保持部２１と上ローラー保持部１１とを分離させ、上ローラー保持部１１を処理位置における上レール１２に保持させた状態で、前記の台車２３により下ローラー保持部２１を取出し位置に移動させるようにする。このようにすると、下ローラー２０の上側に補修や交換用の広いスペースＳ２ができ、この状態で、この下ローラー保持部２１に保持された下ローラー２０の補修や交換を行うようにする。
【００４０】
このようにして下ローラー２０の補修や交換を行った後は、図１３に示すように、下ローラー２０を保持した下ローラー保持部２１を前記の台車２３により処理位置を戻し、その後、前記の図５及び図６に示すように、被処理物Ｗが導かれる位置において、前記の第１昇降装置１４により上レール１２を下降させて、上ローラー保持部１１に保持された上ローラー１０を下方に移動させると共に、前記の第２昇降装置２４により下ローラー保持部２１に保持された下ローラー２０を上方に移動させ、被処理物Ｗを上ローラー１０と下ローラー２０との間に挟むようにして、被処理物Ｗを処理させるようにする。
【００４１】
ここで、この実施形態においては、前記のように上ローラー１０や下ローラー２０の補修や交換を行う取出し位置において、上レール１２が存在していないため、上ローラー１０や下ローラー２０の補修や交換を行う場合において、上レール１２が邪魔になるということがなく、上ローラー１０や下ローラー２０を補修したり、交換したりする作業が簡単に行えるようになる。
【００４２】
また、前記の上ローラー保持部１１と下ローラー保持部２１とを連結部材３０によって連結させた状態で、前記の台車２３を駆動装置により駆動させることによって、上ローラー保持部１１と下ローラー保持部２１とを一緒に移動させることができ、上ローラー保持部１１と下ローラー保持部２１とをそれぞれ別の駆動装置によって移動させる場合に比べて、設備コストも低減される。
【００４３】
（第２実施形態）
第２実施形態における上・下ローラーの分離取出し装置においては、図１４及び図１５に示すように、上ローラー１０の上方において被処理物Ｗの送り方向と交差する方向に伸びた上レール１２に、この上レール１２に沿って移動する上台車１５を設け、この上台車１５に設けた第３昇降装置１６によって上ローラー１０を回転可能に保持する上ローラー保持部１１を昇降させるようにしている。
【００４４】
一方、下ローラー２０を回転可能に保持する下ローラー保持部２１については、前記の第１実施形態と同様に、被処理物Ｗの送り方向と交差する方向に伸びた下レール２２の上を移動する台車２３に設けられた第２昇降装置２４により昇降可能に保持させている。
【００４５】
また、前記の上ローラー保持部１１と下ローラー保持部２１とを伸縮可能な連結部材３０により分離可能に連結させるにあたっては、前記の第１実施形態と同様に、下ローラー保持部２１に設けられたシリンダー部材３１に、先端部に連結部３２ａが設けられたロッド３２を上下方向に伸縮可能に収容させると共に、前記の上ローラー保持部１１に連結用アーム３３を設け、この連結用アーム３３をロッド３２の連結部３２ａに連結ピン３４によって分離可能に連結させている。
【００４６】
そして、前記の連結用アーム３３をロッド３２の連結部３２ａに連結ピン３４によって連結させた状態で、前記の第３昇降装置１６により上ローラー保持部１１を上方に移動させると共に、前記の第２昇降装置２４により下ローラー保持部２１を下方に移動させて、前記の上ローラー１０と下ローラー２０とを被処理物Ｗから離間させると、これに伴って前記のロッド３２が伸張されるようになり、このようにロッド３２を伸張させた状態で、固定ピン３５によりロッド３２をシリンダー部材３１に固定させ、この連結部材３０によって、上ローラー１０と下ローラー２０とが離間された状態で、上ローラー保持部１１と下ローラー保持部２１とが連結されて維持されるようにしている。
【００４７】
ここで、この実施形態においても、前記の第１実施形態と同様に、前記のロッド３２はシリンダー部材３１に対して上下方向に自由に移動できるようになっており、特に、駆動装置（図示せず）によって強制的に駆動させるようにはなっていない。但し、前記の上ローラー保持部１１と下ローラー保持部２１の移動に合わせて、駆動装置により前記のロッド３２をシリンダー部材３１に対して上下方向に移動させるようにすることもできる。
【００４８】
また、この実施形態においては、前記のように第３昇降装置１６によって上ローラー保持部１１を昇降可能にした上台車１５を、前記の上レール１２に沿って被処理物Ｗの送り方向と交差する方向に移動させて取出し位置に導いた場合に、この上台車１５の一端部を保持する保持部材４０を、前記の上レール１２と同じ高さの位置において、上レール１２から被処理物Ｗの送り方向と交差する方向に所要間隔（空間）を介した位置に設けている。なお、保持部材４０を設ける方法は、特に限定されず、前記の第１実施形態と同様に、保持部材４０を天井から吊り下げたり、壁面に固定させたりして設けることができる。
【００４９】
そして、この実施形態において、前記の上ローラー１０と下ローラー２０との間において被処理物Ｗを処理するにあたっては、図１４及び図１５に示すように、被処理物Ｗが導かれる位置において、前記の第３昇降装置１６により上ローラー保持部１１を下降させて、この上ローラー保持部１１に保持された上ローラー１０を下方に移動させると共に、前記の第２昇降装置２４により下ローラー保持部２１に保持された下ローラー２０を上方に移動させ、被処理物Ｗを上ローラー１０と下ローラー２０との間に挟むようにして、被処理物Ｗを処理する。
【００５０】
また、この実施形態において、前記の上ローラー１０や下ローラー２０を補修したり、交換したりするにあたっては、図１６に示すように、前記の第３昇降装置１６により上ローラー保持部１１を上方に移動させると共に、前記の第２昇降装置２４により下ローラー保持部２１を下方に移動させて、上ローラー１０と下ローラー２０とを被処理物Ｗから離間させ、前記のように伸張された状態にあるロッド３２を、固定ピン３５によりシリンダー部材３１に固定し、この連結部材３０により、上ローラー１０と下ローラー２０とを離間させた状態で、上ローラー保持部１１と下ローラー保持部２１とを保持させるようにする。
【００５１】
そして、この状態で、図１７に示すように、下ローラー保持部２１を保持した前記の台車２３を駆動装置（図示せず）により駆動させて、台車２３を被処理物Ｗの送り方向と交差する方向に伸びた下レール２２に沿って被処理物Ｗを処理する位置から取出し位置に導くようにする。このようにすると、台車２３の移動に伴って、前記の連結部材３０によって下ローラー保持部２１と連結された上ローラー保持部１１を保持する上台車１５が前記の上レール１２に沿って移動し、この上台車１５の一端部が前記の保持部材４０に保持させて、取出し位置において上台車１５が保持部材４０と上レール１２との間で保持されるようになる。なお、このように上台車１５の一端部を保持部材４０に導くようにした場合、保持部材４０側における上台車１５の端部が、上レール１２から離れて保持部材４０に導かれるまでの間に空間が存在するが、前記のように上台車１５の一端部が、上ローラー保持部１１を介して連結部材３０におけるロッド３２によって支持された状態になっているため、上台車１５が落下するということはない。
【００５２】
次いで、このようにして取出し位置に導かれた上台車１５に保持された上ローラー保持部１１における上ローラー１０を補修したり、交換したりするにあっては、図１８に示すように、前記の連結ピン３４を外して、前記のロッド３２と連結用アーム３３との連結を解除すると共に、前記の固定ピン３５を取り外してロッド３２を下降させ、この状態で、保持部材４０と上レール１２との間で保持された上ローラー保持部１１の下の位置から、前記の台車２３を処理位置側に戻すようにする。このようにすると、上ローラー１０の下側に補修や交換用の広いスペースＳ１ができ、この状態で、上台車１５に保持された上ローラー１０の補修や交換を行うようにする。なお、この場合においても、前記のようにロッド３２を伸張させた状態で、その先端部に設けられた前記の連結部３２ａが、上ローラー保持部１１に保持された上ローラー１０と衝突しない位置にある場合には、前記のように固定ピン３５を取り外してロッド３２を下降させる必要はない。
【００５３】
そして、このようにして上ローラー１０の補修や交換を行った後は、処理位置側に戻した前記の台車２３を取出し位置に導き、前記のロッド３２を上方に伸張させ、このロッド３２と連結用アーム３３とを連結ピン３４により連結させると共に、伸張された状態にあるロッド３２を、固定ピン３５によりシリンダー部材３１に固定し、上ローラー１０と下ローラー２０とを離間させた状態で、上ローラー保持部１１と下ローラー保持部２１とを保持させ、この状態で、図１９に示すように、前記の台車２３を取出し位置から処理位置に導いて、上ローラー保持部１１を保持した前記の上台車１５を、処理位置における前記の上レール１２に保持させる。なお、このように上台車１５を処理位置における上レール１２に保持させる場合も、保持部材４０側における上台車１５の端部が、保持部材４０から離れて上レール１２に導かれるまでの間に空間が存在するが、前記のように上台車１５の一端部が、上ローラー保持部１１を介して連結部材３０におけるロッド３２によって支持された状態になっているため、上台車１５が落下するということはない。
【００５４】
その後、下ローラー保持部２１に保持された下ローラー２０を補修したり、交換したりするにあたっては、図２０に示すように、前記の連結ピン３４を外して、前記のロッド３２と連結用アーム３３との連結を解除して、下ローラー保持部２１と上ローラー保持部１１とを分離させ、前記の上台車１５を処理位置における上レール１２に保持させた状態で、前記の台車２３により下ローラー保持部２１を取出し位置に移動させるようにする。このようにすると、下ローラー２０の上側に補修や交換用の広いスペースＳ２ができ、この状態で、この下ローラー保持部２１に保持された下ローラー２０の補修や交換を行うようにする。
【００５５】
このようにして下ローラー２０の補修や交換を行った後は、図２１に示すように、下ローラー２０を保持した下ローラー保持部２１を前記の台車２３により処理位置を戻し、その後、前記の図１４及び図１５に示すように、被処理物Ｗが導かれる位置において、前記の上台車１５に設けられた第３昇降装置１６により上ローラー保持部１１に保持された上ローラー１０を下方に移動させると共に、前記の第２昇降装置２４により下ローラー保持部２１に保持された下ローラー２０を上方に移動させ、被処理物Ｗを上ローラー１０と下ローラー２０との間に挟むようにして、被処理物Ｗを処理させるようにする。
【００５６】
この結果、この実施形態においても、前記の第１実施形態の場合と同様に、上ローラー１０や下ローラー２０の補修や交換を行う取出し位置において、上レール１２が存在していないため、上ローラー１０や下ローラー２０の補修や交換を行う場合において、上レール１２が邪魔になるということがなく、上ローラー１０や下ローラー２０を補修したり、交換したりする作業が簡単に行えるようになる。
【００５７】
また、上ローラー保持部１１と下ローラー保持部２１とを連結部材３０によって連結させた状態で、前記の台車２３を駆動させる駆動装置により、上台車１５を前記の台車２３と一緒に移動させることができ、上台車１５を駆動させるための別の駆動装置を設ける必要がなく、設備コストも低減される。
【符号の説明】
【００５８】
１０  上ローラー
１１  上ローラー保持部
１２  上レール
１３  車輪
１４  第１昇降装置
１５  上台車
１６  第３昇降装置
１７  架台
２０  下ローラー
２１  下ローラー保持部
２２  下レール
２３  台車
２４  第２昇降装置
３０  連結部材
３１  シリンダー部材
３２  ロッド、３２ａ  連結部
３３  連結用アーム
３４  連結ピン
３５  固定ピン
４０  保持部材
Ｗ  被処理物
Ｓ１，Ｓ２  スペース
【図１】
2015020111.tif 000003
【図２】
2015020111.tif 000004
【図３】
2015020111.tif 000005
【図４】
2015020111.tif 000006
【図５】
2015020111.tif 000007
【図６】
2015020111.tif 000008
【図７】
2015020111.tif 000009
【図８】
2015020111.tif 000010
【図９】
2015020111.tif 000011
【図１０】
2015020111.tif 000012
【図１１】
2015020111.tif 000013
【図１２】
2015020111.tif 000014
【図１３】
2015020111.tif 000015
【図１４】
2015020111.tif 000016
【図１５】
2015020111.tif 000017
【図１６】
2015020111.tif 000018
【図１７】
2015020111.tif 000019
【図１８】
2015020111.tif 000020
【図１９】
2015020111.tif 000021
【図２０】
2015020111.tif 000022
【図２１】
2015020111.tif 000023